(57)【要約】【課題】クリップ等の部品を用いることなく空気整流体の取付け及び取外しを容易に行うことができる空気整流体を備えた冷蔵ショーケースを提供すること。【解決手段】空気整流体１０が冷気吹出部４ａの底面板１２ａに設けた前方切り起こし片１４を前方から後方に乗り越えることにより冷気吹出部４ａに嵌合させ、この前方切り起こし片１４の後方に設けた操作孔１６から挿通させた指により、空気整流体１０に前方切り起こし片１４を乗り越える押上げ力を与えることで、空気整流体１０の冷気吹出部４ａに対する嵌合と取外しを容易に行うことができる。【選択図】  図３
2005003254.tif 000002
【特許請求の範囲】
【請求項１】
ケース前面に設けられた開口部と、この開口部にエアーカーテンを形成するためにケース上部にてケースのほぼ全幅にわたって冷気を吹き出す前面板前方の冷気吹出部と、この冷気吹出部に取外し自在に嵌合され、かつ冷気を整流するための空気整流体を備えた冷蔵ショーケースにおいて、該空気整流体が冷気吹出部を形成する壁面に設けた突部を前方から後方に乗り越えることにより空気整流体を冷気吹出部に嵌合させ、該突部の後方の壁面に設けた開口部から空気整流体に前記突部を後方から前方に乗り越えることができる押上げ力を与えることにより空気整流体を冷気吹出部から取外すことを特徴とする空気整流体を備えた冷蔵オープンショーケース。
【請求項２】
前記開口部は指が挿入可能な大きさである請求項１に記載の空気整流体を備えた冷蔵オープンショーケース。
【請求項３】
前記空気整流体は伸縮可能な樹脂製のハニカム体である請求項１または２に記載の空気整流体を備えた冷蔵オープンショーケース。
【請求項４】
前記突部は空気整流体の挿入方向前方に向かって傾斜する装着案内片である請求項１ないし３の何れかに記載の空気整流体を備えた冷蔵オープンショーケース。
【請求項５】
前記突部は壁面の一部を切り起こして形成したものである請求項１ないし４の何れかに記載の空気整流体を備えた冷蔵オープンショーケース。
【請求項６】
前記突部は壁面に対して弾性支持されている請求項５に記載の空気整流体を備えた冷蔵オープンショーケース。
【発明の詳細な説明】
【０００１】
【発明の属する技術分野】
本発明は、ケース前面に設けられた開口部と、この開口部にエアーカーテンを形成するためにケース上部にてケースのほぼ全幅にわたって冷気を吹き出す冷気吹出部と、前記冷気吹出部に取外し自在に嵌合され、かつ冷気を整流するための空気整流体を備えた冷蔵ショーケースに関する。
【０００２】
【従来の技術】
従来、掃除や交換のために冷気吹出部に空気整流体を取外し自在に嵌合した冷蔵ショーケースとして、クリップ式のものが知られている（特許文献１参照）。そして、このクリップ式のものは２つの挟持部により空気整流体を挟み込み、冷気吹出部の壁部に形成した凹みや孔などに係合できる係合雄部を形成するとともに、先端部に２つの指掛部を形成したピアノ線などの弾性線材製のものであり、空気整流体の取付の際は、指掛部に２つの指を挟んで空気整流体を冷気吹出部に挿入し、係合雄部を壁部に形成した凹みや孔に係合したところで指の力を開放させて取付ける。取外しは再び指掛部に２つの指を挟んで係合雄部を孔から外しクリップを引き出せば、空気整流体が冷気吹出部より前方に取り出せる。
【０００３】
【特許文献１】
実公昭６０−４１４９１号公報（第１，２頁、図２）
【０００４】
【発明が解決しようとする課題】
この特許文献１に記載のものは、指掛部の操作で空気整流体の取付け及び取外しを容易に行うことができるが、クリップには挟持部、係合雄部、指掛部が形成されていてその構造が複雑であり、また、長めのクリップを用いると商品の取り出し時等において引っ掛かって商品に傷を付ける恐れもあった。
【０００５】
本発明は、このような状況に鑑みてなされたものであり、クリップ等の部品を用いることなく空気整流体の取付け及び取外しを容易に行うことができる空気整流体を備えた冷蔵ショーケースを提供することを目的とするものである。
【０００６】
【課題を解決するための手段】
上記課題を解決するために、本発明の空気整流体を備えた冷蔵ショーケースは、ケース前面に設けられた開口部と、この開口部にエアーカーテンを形成するためにケース上部にてケースのほぼ全幅にわたって冷気を吹き出す前面板前方の冷気吹出部と、この冷気吹出部に取外し自在に嵌合され、かつ冷気を整流するための空気整流体を備えた冷蔵ショーケースにおいて、該空気整流体が冷気吹出部を形成する壁面に設けた突部を前方から後方に乗り越えることにより空気整流体を冷気吹出部に嵌合させ、該突部の後方の壁面に設けた開口部から空気整流体に前記突部を後方から前方に乗り越えることができる押上げ力を与えることにより空気整流体を冷気吹出部から取外すことを特徴としている。
この特徴によれば、冷気吹出部を形成する壁面に突部と開口部を形成するだけで、空気整流体の冷気吹出部に対する嵌合と取外しが容易にできる。
【０００７】
本発明の空気整流体を備えた冷蔵ショーケースにおいて、前記開口部は指が挿入可能な大きさであることが好ましい。
これによれば、開口部から指を挿入することで容易に空気整流体に押上げ力を与えることができる。
【０００８】
本発明の空気整流体を備えた冷蔵ショーケースにおいて、前記空気整流体は伸縮可能な樹脂製のハニカム体であることが好ましい。
これによれば、ハニカム体であるので空気を層流にして吹き出せるばかりでなく、突部を乗り越えるのに空気整流体の伸縮運動で対処できる。
【０００９】
本発明の空気整流体を備えた冷蔵ショーケースにおいて、前記突部は空気整流体の挿入方向前方に向かって傾斜する装着案内片であることが好ましい。
これによれば、空気整流体を冷気吹出部に嵌入し易く脱落しにくい。
【００１０】
本発明の空気整流体を備えた冷蔵ショーケースにおいて、前記突部は壁面の一部を切り起こして形成したものであることが好ましい。
これによれば、壁面の一部に切り込みを入れるだけで容易に突部を形成することができる。
【００１１】
本発明の空気整流体を備えた冷蔵ショーケースにおいて、前記突部は壁面に対して弾性支持されていることが好ましい。
これによれば、切り起こした突部の弾力を利用することで、空気整流体が冷気吹出部に一層嵌入し易くなる。
【００１２】
【発明の実施形態】
図１は本発明の一実施形態に係る冷蔵ショーケースの断面図、図２は冷蔵ショーケースの冷気吹出部を示す部分拡大断面図、図３は冷蔵ショーケースの冷気吹出部を示す部分拡大斜視図であり、図４の（ａ）はハニカム構造の空気整流体が冷気吹出部に挿入保持された状態を示す部分斜視図、（ｂ）はハニカム構造の空気製流体を取出す状態を示す斜視図である。
【００１３】
図１に示すように、１は庫内商品を保冷する冷蔵ショーケース（ショーケースと称する）を示し、このショーケース１は、ショッピングセンター内やコンビニエンス・ストア等にも幅広く設置されており、商品を消費者が購入しやすいように、ショーケース１内部に複数の陳列棚３を取付けることにより、これらの陳列棚３に商品が商品別に載置できるようになっている。
【００１４】
商品を保冷・冷凍するために、図１に示すように内箱１ａと外箱１ｂとの間に冷気循環経路１１が形成され、送風機４ｃによって下部冷気吸込口４ｂから取り込まれた空気が、冷却器４に送り込まれることで冷却され前記冷気循環経路１１を循環して天井部８下部の冷気吹出部４ａから排出されるようになっている。
【００１５】
そして冷気吹出部４ａから排出された空気は次第に流下し、ショーケース１の開口部となる商品収納スペース２内を冷却するエアーカーテンが形成されることにより、オープンなショーケース１の商品収納スペース２内に収納された商品を一定の温度に保存できる構造となっている。
【００１６】
また、冷気吹出部４ａは、図２に示すように、下方に向けて若干傾斜しショーケース１の幅方向に沿って長手方向に延設した構成となっており、しかも内箱１ａの前面板５上端から前方に向けて下方に傾斜して突出しており、この冷気吹出部４ａには、横長直方体構造の空気整流体１０が、底面板１２ａ上面に支持されてその上面が上面板１２ｂに極めて近接するか接触した状態で、前後端部が後述する保持部材１２によって着脱自在に保持されている。
【００１７】
そして、この空気整流体１０は、前後方向に向かう細い複数の通し孔をハニカム構造（ハニカム体）で複数個形成した合成樹脂製品であって、空気整流方向に対し直交する方向に変形可能な所定の弾性を備えた構造となっている。
【００１８】
冷却器４から供給される冷気は、空気整流体１０を通過するために、長期的に使用されるとこの空気整流体１０に塵埃が堆積するため、定期的に取外して堆積した塵埃を清掃する必要がある。そのために空気整流体１０が取付けやすく、しかも定置に保持され、かつ容易に取外せるように、冷気吹出部４ａの壁面に保持部材１２と操作孔１６が形成されている。
【００１９】
保持部材１２は、図２および図３に示すように、冷気吹出部４ａの壁面を構成する底面板１２ａの一部を切り起こし、空気整流体１０の挿入方向前方に向かって上方に傾斜するように形成された装着案内片となる所定高さの前方切り起こし片１４と、この前方切り起こし片１４の後方にあって冷気吹出部４ａの壁面を構成する上面板１２ｂの後方の一部を切り起こして折曲形成された装着案内片となる後方切り起こし片１５とから構成されており、冷気吹出部４ａの長手方向に所定間隔毎に立設配置されている。
【００２０】
そして、空気整流体１０は、前方切り起こし片１４と後方切り起こし片１５によって前端と後端が挟まれており、冷気吹出部４ａの前方切り起こし片１４の後方には、空気整流体１０の下面を上方に押し上げるために指が挿入可能な大きさの開口部となる操作孔１６が貫通形成されている。
【００２１】
次に、冷蔵ショーケースにおける空気清流体の交換手順に付き図４（ａ）、（ｂ）を参照して説明する。
【００２２】
先ず、空気整流体１０はその後端側から前方切り起こし片１４の抵抗に抗して冷気吹出部４ａに挿入され、空気整流体１０の前端面が前方切り起こし片１４を乗り越え、その後端面が後方切り起こし片１５に当接したところで挿入を停止する。空気整流体１０は前方切り起こし片１４により抜け出さないように保持される。
【００２３】
また、これが長期的に使用されて塵埃が堆積した空気整流体１０を定期的に取外して清掃する際は、図４の（ｂ）に示すように底面板１２ａの各操作孔１６より指Ｆ又は適宜工具を用いて伸縮可能な空気整流体１０をその下面から上方に押圧することで、その部位が前方切り起こし片１４を乗り越える位置まで上方に弾性変形させることで前方に取出せる。
【００２４】
なお、上記の実施形態では、空気整流体１０が弾性変形可能で、前方切り起こし片１４は屈曲できない構成で説明したが、前方切り起こし片１４である突部を底面板１２ａに対して弾性変形可能に支持されるように構成すれば、空気整流体１０は冷気吹出部４ａにより一層嵌入し易くなる。
【００２５】
従って、前記の実施形態のように構成された空気整流体を備えた冷蔵ショーケースによれば、空気整流体１０が冷気吹出部４ａの底面板１２ａに設けた前方切り起こし片１４を、前方から後方に乗り越えることにより空気整流体１０を冷気吹出部４ａに嵌合させ、この前方切り起こし片１４後方に設けた操作孔１６から指Ｆを挿通させて空気整流体１０に前方切り起こし片１４を乗り越える押上げ力を与えることにより、空気整流体１０の冷気吹出部４ａに対する嵌合と取外しが容易にできる。
【００２６】
また、操作孔１６は指Ｆが挿入可能な大きさで形成されているので、空気整流体１０を容易に押上げ力を与えることができる。
【００２７】
更に、空気整流体１０は、伸縮可能な樹脂製のハニカム構造に構成することで、空気を層流にして吹き出せるばかりでなく、前方切り起こし片１４を乗り越えるのに空気整流体１０の伸縮運動で対処できる。
【００２８】
そして、前方切り起こし片１４は、空気整流体の挿入方向前方にかって上方に傾斜する空気整流体１０の装着案内片として構成されるので、空気整流体１０を冷気吹出部４ａに嵌入し易く脱落しにくい。
【００２９】
そしてまた、前方切り起こし片１４は、底面板１２ａの一部に切り込みを入れるだけで容易に突部を形成することができる。また、空気整流体１０を冷気吹出部４ａにより容易に嵌入するために前方切り起こし片１４を壁面に対して弾性支持させても良い。
【００３０】
以上、本発明の実施形態を図面により説明してきたが、具体的な構成はこれら実施例に限られるものではなく、例えば、冷気吹出部を上方から斜め下方に向けて冷気が吹き出すように構成しているが、上方から真下に向けて冷気を吹き出すようにしたものに空気整流体を装着する形式であっても適用可能である。
【００３１】
【発明の効果】
本発明は以下の効果を奏する。
【００３２】
（ａ）請求項１項の発明によれば、冷気吹出部を形成する壁面に突部と開口部を形成するだけで、空気整流体の冷気吹出部に対する嵌合と取外しが容易にできる。
【００３３】
（ｂ）請求項２項の発明によれば、開口部から指を挿入することで容易に空気整流体に押上げ力を与えることができる。
【００３４】
（ｃ）請求項３項の発明によれば、ハニカム体であるので空気を層流にして吹き出せるばかりでなく、突部を乗り越えるのに空気整流体の伸縮運動で対処できる。
【００３５】
（ｄ）請求項４項の発明によれば、空気整流体を冷気吹出部に嵌入し易く脱落しにくい。
【００３６】
（ｅ）請求項５項の発明によれば、壁面の一部に切り込みを入れるだけで容易に突部を形成することができる。
【００３７】
（ｆ）請求項６項の発明によれば、切り起こした突部の弾力を利用することで、空気整流体が冷気吹出部に一層嵌入し易くなるい。
【図面の簡単な説明】
【図１】本発明の一実施形態に係る冷蔵ショーケースの断面図である。
【図２】冷蔵ショーケースの冷気吹出部を示す部分拡大断面図である。
【図３】冷蔵ショーケースの冷気吹出部を示す部分拡大斜視図である。
【図４】（ａ）はハニカム構造の空気製流体が冷気吹出部に挿入保持された状態を示す部分斜視図、（ｂ）はハニカム構造の空気製流体を取出す状態を示す斜視図である。
【符号の説明】
１                      ショーケース
１ａ                    内箱
１ｂ                    外箱
２                      商品収納スペース
３                      陳列棚
４                      冷却器
４ａ                    冷気吹出部
４ｂ                    下部冷気吸込口
４ｃ                    送風機
５                      前面板
８                      天井部
１０                    空気整流体（ハニカム体）
１１                    冷気循環経路
１２                    保持部材
１２ａ                  底面板
１２ｂ                  上面板
１４                    前方切り起こし片（突部）
１５                    後方切り起こし片
１６                    操作孔
Ｆ                      指
【図１】
2005003254.tif 000003
【図２】
2005003254.tif 000004
【図３】
2005003254.tif 000005
【図４】
2005003254.tif 000006